(57)【要約】【課題】  折戸の開閉支持具としてスライドヒンジ，ステーの組合わせを有効に機能させる。【解決手段】  複数枚の戸板１，２が折畳開放，展開閉鎖されるように連結されて支持板４に支持された折戸を開閉する。連結の一方の端部に配置された戸板１を支持板４に回動可能に支持するスライドヒンジ７と、連結の他方の端部に配置された戸板２の開閉を案内するステー８とを備えている。【選択図】        図１
2009068207.tif 000002
【特許請求の範囲】
【請求項１】
複数枚の戸板が折畳開放，展開閉鎖されるように連結されて枠板に支持された折戸を開閉するものであって、連結の一方の端部に配置された戸板を枠板に回動可能に支持するスライドヒンジと、連結の他方の端部に配置された戸板の開閉を案内するステーとを備え、スライドヒンジは戸板の内側面の連結の反対側の端縁付近と枠板の内側面の端縁付近とに取付けられ、ステーは戸板の内側面の連結の反対側の端縁付近とスライドヒンジが取付けられる枠板と直交する位置にある枠板の内側面の端縁から離れた箇所とに取付けられ、ステーは板形のステー本体が戸板側に近接する中途部で屈折されたく字形に形成されていることを特徴とする折戸開閉装置。
【請求項２】
請求項１の折戸開閉装置において、ステーは板形のステー本体と戸板に取付けられステー本体の一方の端部が回動可能に連結される戸板側取付座と枠板に取付けられステー本体
の他方の端部が回動可能に連結される枠板側取付座とからなることを特徴とする折戸開閉装置。
【発明の詳細な説明】
【技術分野】
【０００１】
本発明は、複数枚の戸板が折畳開放，展開閉鎖される折戸を開閉する折戸開閉装置に係る技術分野に属する。
【背景技術】
【０００２】
最近、家具等の戸の開閉支持具として、戸板側取付部材と枠板側取付部材とのリンクプレートで連結されたスライドヒンジが多用されている。戸板側取付部材は、観音開戸等の戸板に取付けられるもので、一般的にカップ形に形成されている。枠板側取付部材は、戸板の周囲の扉枠，側板等の枠板に取付けられるもので、一般的にフレーム形に形成されておさまり調整のためのスライド構造を備えている。リンクプレートは、戸板側取付部材，枠板側取付部材の双方に連結ピンを介して回動可能に連結されている。
【０００３】
このスライドヒンジは、戸の閉鎖状態で戸板，支持板で隠蔽されて外観体裁が良好になるとともに、リンクプレートの形状，連結点を変更することで戸板の回動形態を可変して戸の開放位置を調整することができるとういう利点がある。
【０００４】
従来、スライドヒンジを利用した戸の開閉装置としては、例えば、以下に記載のものが知られている。
【０００５】
【特許文献１】特開２００３−２７８４３５号公報
【０００６】
特許文献１には、回転収納扉に適用され、回転収納扉を構成する一枚板の戸板をスライドヒンジで回動可能に支持するとともに、戸板の回動とスライドヒンジの戸板の収納方向への移動とを支持アームで案内する戸の開閉装置が記載されている。
【発明の開示】
【発明が解決しようとする課題】
【０００７】
特許文献１に係る戸の開閉装置は、汎用されているスライドヒンジを開閉支持具の一部として利用しているが、支持アームにはダンパー機構を内蔵しているため、コスト高となり、安価，容易に製造することができないものであった。
【０００８】
また、特許文献１に係る戸の開閉装置では、折戸に適用しようとすると、スライドヒンジ，支持アームの取付け位置等を工夫しなければならないため、そのままでは適用することができないという問題点がある。
【０００９】
本発明は、このような問題点を考慮してなされたもので、折戸の開閉支持具としてスライドヒンジ，ステーの組合わせを有効に機能させた折戸開閉装置を提供することを課題とする。
【課題を解決するための手段】
【００１０】
前述の課題を解決するため、本発明に係る折戸開閉装置は、特許請求の範囲の各請求項に記載の手段を採用する。
【００１１】
即ち、請求項１では、複数枚の戸板が折畳開放，展開閉鎖されるように連結されて枠板に支持された折戸を開閉するものであって、連結の一方の端部に配置された戸板を枠板に回動可能に支持するスライドヒンジと、連結の他方の端部に配置された戸板の開閉を案内するステーとを備え、スライドヒンジは戸板の内側面の連結の反対側の端縁付近と枠板の内側面の端縁付近とに取付けられ、ステーは戸板の内側面の連結の反対側の端縁付近とスライドヒンジが取付けられる枠板と直交する位置にある枠板の内側面の端縁から離れた箇所とに取付けられ、ステーは板形のステー本体が戸板側に近接する中途部で屈折されたく字形に形成されていることを特徴とする。
【００１２】
この手段では、折戸を構成する連結された両端部に配置された戸板をスライドヒンジ，ステーで両側から拘束することで、折戸の折畳開放，展開閉鎖を案内し、ステーのステー本体がく字形を呈して折戸の開閉操作力が有効に作用する。
【００１３】
また、請求項２では請求項１の折戸開閉装置において、ステーは板形のステー本体と戸板に取付けられステー本体の一方の端部が回動可能に連結される戸板側取付座と枠板に取付けられステー本体の他方の端部が回動可能に連結される枠板側取付座とからなることを特徴とする。
【００１４】
この手段では、ステーが回動可能に連結される３個の部材で構成される。
【発明の効果】
【００１５】
本発明に係る折戸開閉装置は、折戸を構成する連結された両端部に配置された戸板をスライドヒンジ，ステーで両側から拘束することで、折戸の折畳開放，展開閉鎖を案内するため、折戸の開閉支持具としてスライドヒンジ，ステーの組合わせを有効に機能させることができる効果がある。
特に、スライドヒンジの種類に応じて広角度開きまたは狭角度開きが選択できるうえに、これに対応してステーのく字形の屈折点を反転すればよく、１本のステーで対応することができる。
【００１６】
また、本発明に係る折戸開閉装置は、かぶせやインセットなどの各種折戸に対応することができ、スライドヒンジとステーの組み合わせにより、ローコストの各種家具用の折戸金物として提供することができる。
【発明を実施するための最良の形態】
【００１７】
以下、本発明に係る折戸開閉装置を実施するための最良の形態を図面に基づいて説明する。図１〜図３は、本発明に係る折戸開閉装置を実施するための最良の形態の第１例を示すものである。
【００１８】
第１例では、複数枚の戸板１，２がヒンジ３で折畳，展開可能に連結された折戸の２組が箱形の家具にかぶせセットされて両側に折畳開放されるものを示してある。なお、戸板１，２の周囲にある枠板は、側板４，天板５，底板（地板）６からなる。
【００１９】
第１例は、スライドヒンジ７，ステー８を備えている。スライドヒンジ７は、戸板側取付部材７１，支持板側取付部材７２，リンクプレート７３からなる。戸板側取付部材７１は、カップ形に形成されて、連結の一方の端部に配置された戸板１の内側面の連結の反対側の端縁付近に埋込み取付けされている。支持板側取付部材７２は、支持板である側板４の内側面の端縁付近（戸板１側の）に取付けられている。なお、支持板側取付部材７２については、側板４に固定されベース部７２ａにスライド部７２ｂが係合され、調整ネジ７２ｃでベース部７２ａに対してスライド部７２ｂをスライドさせたりベース部７２ａ自体を移動させて戸板１，２のおさまりを調整することができるようになっている。リンクプレート７３は、戸板側取付部材７１，支持板側取付部材７２の双方に連結ピンを介して回動可能に連結されている。
【００２０】
このスライドヒンジ７は、１組の折戸につき戸板１の上下に１個ずつ配置される。
ステー８は、ステー本体８１，戸板側取付座８２，支持板側取付座８３とからなる。ステー本体８１は、く字形に屈折形成された細長プレートからなる。戸板側取付座８２は、連結の他方の端部に配置された戸板２の内側面の連結の反対側の端縁付近に取付けられるもので、戸板に固定される座本体８２ａにステー８１の一方の端部を回動可能に連結する連結ピン８２ｂが支持されている。前述のステー本体８１のく字形の屈折点は、戸板側取付座８２に近接された位置に配置される。ステー本体８１はく字形の屈折点が全長の１５％〜３０％、好ましくは２０％の近接位置側にあって、全長に対して約１３０°〜１５０°、好ましくは１４０°く字形に屈折されている。なお、戸板側取付座８２については、スライドヒンジ７の支持板側取付部材７２を利用して、製造コストを低減することができる。支持板側取付座８３は、支持板である天板５に取付けられるもので、天板５に固定される座本体８３ａにステー８１の他方の端部を回動可能に連結する連結ピン８３ｂが支持されている。なお、支持板側取付座８３の連結ピン８３ｂは、座本体８３ａに螺合されるネジ体に形成され、摩擦材８３ｃをステー本体８１に圧接させてステー本体８１の無用の回動を阻止している。
【００２１】
このステー８は、１組の折戸につき天板５に１個のみ配置すれば足りる。
【００２２】
第１例によると、連結の一方の端部に配置された戸板１がスライドヒンジ７によって側板４に回動可能に支持され、連結の他方の端部に配置された戸板２の回動がステー８で案内される。従って、折戸を構成する連結された両端部に配置された戸板１，２がスライドヒンジ７，ステー８で両側から拘束されることになる。この結果、折戸の開閉支持具としてスライドヒンジ７，ステー８の組合わせを有効に機能され、かぶせ・広角度開きタイプの折戸の折畳開放，展開閉鎖が円滑に案内される。
【００２３】
第１例における折戸の閉鎖状態では、スライドヒンジ７，ステー８が戸板１，２，支持板（側板４，天板５，底板６）で隠蔽されるため、外観体裁が損なわれることはない。
【００２４】
第１例における折戸の開閉操作では、ステー８のステー本体８１がく字形に形成されて直状のような抵抗ロスが少なく、折戸の開閉操作力が有効に作用するため、折戸の開閉を円滑，確実に行うことができる。特に、ステー８のステー本体８１のく字形の屈折点が戸板側取付座８２に近接され、折戸の開閉操作力が掛かる戸板２に近接されているため、無用の抵抗ロス等をほぼ完全に消失させて、折戸の開閉を円滑，確実に行うことができる。
【００２５】
なお、ステー８が回動可能に連結されるステー本体８１，戸板側取付座８２，支持板側取付座８３の部材で構成されているため、取付位置の選択に自由度がある。即ち、折戸の折畳開放位置を容易に調整することができる。
【００２６】
図４は、本発明に係る折戸開閉装置を実施するための最良の形態の第２例を示すものである。
【００２７】
第２例では、ステー８のステー本体８１の屈折方向を第１例の逆の配置としている。
【００２８】
第２例によると、折戸の折畳開放位置の側板４の外方への突出を少なくしたかぶせ・狭角度開きとすることができる。なお、第２例では、折戸の折畳開放位置でスライドヒンジ７の戸板側取付部材７１，支持板側取付部材７２が第１例ほど離間しないため、スライドヒンジ７として狭角度開きタイプの構造を採用している。
【００２９】
第２例については、第１例のスライドヒンジ７を変更してステー８のステー本体８１の配置を逆にすることで実施することができるため、第１例を大幅に設計変更することなく実施することができる。
【００３０】
図５は、本発明に係る折戸開閉装置を実施するための最良の形態の第３例を示すものである。
【００３１】
第３例では、第２例の戸板１，２を箱形の家具にインセット・狭角度開きタイプにしてある。
【００３２】
第３例によると、第２例について、スライドヒンジ７の構造を多少変更することで対応することができる。
【００３３】
第３例については、第２例のスライドヒンジ７を変更することのみで実施することができるため、第２例を大幅に設計変更することなく実施することができる。
【００３４】
以上、図示した各例の外に、３枚以上の戸板１，２が連結される折戸にも適用することができる。
【００３５】
さらに、折戸を左右方向ではなく上下方向に開閉させることも可能である。
【図面の簡単な説明】
【００３６】
【図１】本発明に係る折戸開閉装置を実施するための最良の形態の第１例の斜視図である。
【図２】図１の拡大された要部の平面図である。
【図３】図２の拡大された要部の縦断面図である。
【図４】本発明に係る折戸開閉装置を実施するための最良の形態の第２例の平面図である。
【図５】本発明に係る折戸開閉装置を実施するための最良の形態の第３例の平面図である。
【符号の説明】
【００３７】
１，２          戸板
４              側板（枠板）
５              天板（枠板）
７              スライドヒンジ
８              ステー
８１            ステー本体
８２            戸板側取付座
８３            枠板側取付座
【図１】
2009068207.tif 000003
【図２】
2009068207.tif 000004
【図３】
2009068207.tif 000005
【図４】
2009068207.tif 000006
【図５】
2009068207.tif 000007